(57)【要約】【課題】上皿ユニットを開放する際に遊技球が散乱するのを防止できる遊技機を提供する。【解決手段】上皿ユニット１３に貯留された遊技球を下皿ユニット１４へ案内する球抜き流路９６を備えたパチンコ遊技機において、発射装置１６は、球送り装置３１の前面側に遊技球が流入可能な球流入口３３を開設し、球抜き流路９６は、上側球抜き流路１０８と下側球抜き流路１０９とに上下分割した状態で形成され、上皿ユニット１３が閉じた状態で上側球抜き流路１０８と下側球抜き流路１０９とを連通し、下側球抜き流路１０９は、球流入口３３の下方に形成され、上皿ユニット１３が開き始めたときに当該下側球抜き流路１０９の上側開口１０９ａが球流入口３３の真下に、上方を向いた状態で出現するように配置される。【選択図】    図１１
2004313364.tif 000002
【特許請求の範囲】
【請求項１】
遊技領域を有する遊技盤が取り付けられた前面枠と、
前記遊技領域に遊技球を遊技球発射位置から発射する機能を有する発射ユニットと、
開閉部材により前記前面枠に開閉可能に軸着され、遊技球を貯留可能な機能を有する上皿ユニットと、
前記上皿ユニットの下方に位置し、遊技球を貯留可能な機能を有する下皿ユニットと、
前記上皿ユニットに貯留された遊技球を前記下皿ユニットへ案内する球抜き流路とを備えた遊技機において、
前記前面枠側に、遊技球を前記遊技球発射位置へ１個ずつ供給する球送り装置を備え、該球送り装置の前面側に遊技球が流入可能な球流入口を開設し、
前記上皿ユニットは、
遊技球を前記発射ユニット側に案内する球案内流路を設け、該球案内流路の出口であって、前記上皿ユニットが閉状態のときに前記球流入口に連通する球供給口を開設し、該球供給口を開閉可能な球止め部材を備え、
前記球止め部材は、
前記上皿ユニットが閉じた状態では、前記球供給口を開いて遊技球を前記球送り装置へ案内可能な第１状態に変換し、前記上皿ユニットが開いた状態では、前記球供給口を閉じて遊技球を前記球送り装置へ案内不可能な第２状態に変換し、
前記球抜き流路は、
上側球抜き流路と下側球抜き流路とに上下分割した状態で形成され、前記上皿ユニットが閉じた状態で上側球抜き流路と下側球抜き流路とを連通し、
前記下側球抜き流路は、
前記球送り装置の球流入口の下方に形成され、前記上皿ユニットが開き始めたときに当該下側球抜き流路の上側開口が球流入口の下方に位置して、且つ上方を向いた状態で出現することを特徴とする遊技機。
【請求項２】
遊技盤が交換可能に取り付けられた前面枠と、
前記前面枠に設けられ、遊技盤に形成された遊技領域に遊技球を遊技球発射位置から発射する機能を有する発射ユニットと、
前記前面枠に軸着される開閉部材と、該開閉部材の前面側に位置して遊技球を貯留可能な上皿と、該上皿に貯留された遊技球を前記発射ユニットに案内する球案内流路と、を備えて前記前面枠に対して開閉可能な上皿ユニットと、
前記上皿ユニットの下方に位置し、前記前面枠に取り付けられる取付ベースと、該取付ベースの前面側に位置して遊技球を貯留可能な下皿と、を備えた下皿ユニットと、
を備え、
前記球案内流路の遊技球を前記下皿に案内する球抜き流路を有する遊技機において、
前記発射ユニットは、
前記遊技球発射位置へ遊技球を１個ずつ供給する球送り装置を備え、該球送り装置の前面側に遊技球が流入可能な球流入口を開設し、
前記開閉部材は、
前記球案内流路の出口であって、前記上皿ユニットが閉状態のときに前記球流入口に連通する球供給口を開設し、当該開閉部材の裏面側に前記球供給口を開閉可能な球止め部材を備え、
前記球止め部材は、
前記上皿ユニットが閉じた状態では、前記球供給口を開いて遊技球を前記球送り装置へ案内可能な第１状態に変換し、前記上皿ユニットが開いた状態では、前記球供給口を閉じて遊技球を前記球送り装置へ案内しない第２状態に変換し、
前記球抜き流路は、
上側球抜き流路と下側球抜き流路とに上下分割された状態で形成され、前記上側球抜き流路の下流部を前記開閉部材の裏面側に、前記下側球抜き流路を前記取付ベースの裏面側にそれぞれ設け、
前記上皿ユニットが閉じた状態で上側球抜き流路と下側球抜き流路とを連通し、
前記下側球抜き流路は、
前記球送り装置の球流入口の下方に形成され、前記上皿ユニットが開き始めたときに当該下側球抜き流路の上側開口が球流入口の下方に位置して、且つ上方を向いた状態で出現することを特徴とする遊技機。
【請求項３】
前記上皿ユニットの開閉動作に伴って前記球止め部材の状態を変換する球止め部材変換部を、前記前面枠における前記球止め部材に対向する位置に配設し、
前記球止め部材変換部は、
前記球止め部材を第１状態あるいは第２状態へ変換させる変換作用部と、前記球止め部材を係止することで第１状態に維持する第１状態維持部とを備え、
前記上皿ユニットを開き始めることにより、前記球供給口に差し掛かっていた遊技球の落下を許容し、この落下を許容される遊技球の上流側に待機していた次の遊技球を前記球止め部材が制止して、前記次の遊技球の流下を阻止するように前記第１状態維持部を構成したことを特徴とする請求項１または請求項２に記載の遊技機。
【請求項４】
前記球流入口と前記下側球抜き流路の上側開口との間に、遊技球を案内するガイドを設けたことを特徴とする請求項１から請求項３のいずれかに記載の遊技機。
【請求項５】
前記球止め部材は、
前記球案内流路の球供給口を閉成可能なゲート部と、該ゲート部を前記上皿ユニットに対して回動可能に軸着する回動軸と、前記ゲート部から前記球止め部材変換部に向かって延設されて、前記球止め部材変換部に係合可能な係合部とを備え、
前記回動軸を中心にして所定範囲内を回動することにより第１状態と第２状態とに変換可能であることを特徴とする請求項１から請求項４のいずれかに記載の遊技機。
【請求項６】
前記球案内流路は、
前記開閉部材に沿って形成された第１球案内流路と、前記球送り装置に向かって形成された第２球案内流路と、第１球案内流路と第２球案内流路とを屈曲する状態で連通する屈曲部とから構成され、
前記球抜き流路は、
前記上側球抜き流路の上側開口を前記屈曲部に連通可能な状態で開設し、上側球抜き流路を第２球案内流路の下方に位置する状態で後方に屈曲させたことを特徴とする請求項１から請求項５のいずれかに記載の遊技機。
【発明の詳細な説明】
【０００１】
【発明の属する技術分野】
本発明は、遊技球を貯留可能な上皿ユニットおよび下皿ユニットと、上皿ユニットに貯留された遊技球を下皿ユニットに案内する球抜き流路とを備えたパチンコ遊技機などの遊技機に関する。
【０００２】
【従来の技術】
従来の遊技機、例えばパチンコ遊技機は、上皿ユニットに貸し球あるいは賞球としての遊技球を貯留し、この遊技球を発射ユニット（発射装置）に流下させて遊技領域へ発射することで遊技を行う。
このパチンコ遊技機は、上皿ユニットの球供給口の後方に球送り装置を備え、遊技球を１個ずつ上皿ユニットから発射ユニットの発射レールへ供給できるように構成されている。また、このパチンコ遊技機は、上皿ユニットを開閉可能な状態で軸着して球送り装置の前方を開放可能とし、球詰まり等の不具合が発生した際には、迅速に復旧処理等の作業ができるように構成されている。しかし、上皿ユニットを開くためには、上皿ユニットに貯留された遊技球を予め抜き取らなければならず、面倒であった。そこで、上皿ユニット開放時に遊技球が球供給口から落下しないように、上皿ユニットの球供給口に球止め部材を備えたパチンコ遊技機が提案されている（例えば、特許文献１参照。）。
【０００３】
【特許文献１】
特開２００１−２１２３２５号公報（第１頁，第１４図）
【０００４】
【発明が解決しようとする課題】
ところが、上記したパチンコ遊技機は、上皿ユニット側、すなわち球止め部材よりも上流側に位置する遊技球の落下を規制できるが、球供給口に差し掛かっていた遊技球や球止め部材よりも下流側に位置する遊技球の落下を規制できず、上皿ユニットを開き始めたときには、いくつかの遊技球がそのまま床に落ちてしまう虞がある。したがって、遊技球の片付けが必要となる場合があり、パチンコ遊技機の復旧作業やメンテナンス作業の作業効率に関して改善の余地を残していた。
【０００５】
そこで、本発明は、上記の事情に鑑みてなされたものであり、その目的は、上皿ユニットを開放する際に遊技球が散乱するのを防止できる遊技機を提供しようとするものである。
【０００６】
【課題を解決するための手段】
本発明は、上記目的を達成するために提案されたものであり、請求項１に記載のものは、遊技領域を有する遊技盤が取り付けられた前面枠と、
前記遊技領域に遊技球を遊技球発射位置から発射する機能を有する発射ユニットと、
開閉部材により前記前面枠に開閉可能に軸着され、遊技球を貯留可能な機能を有する上皿ユニットと、
前記上皿ユニットの下方に位置し、遊技球を貯留可能な機能を有する下皿ユニットと、
前記上皿ユニットに貯留された遊技球を前記下皿ユニットへ案内する球抜き流路とを備えた遊技機において、
前記前面枠側に、遊技球を前記遊技球発射位置へ１個ずつ供給する球送り装置を備え、該球送り装置の前面側に遊技球が流入可能な球流入口を開設し、
前記上皿ユニットは、
遊技球を前記発射ユニット側に案内する球案内流路を設け、該球案内流路の出口であって、前記上皿ユニットが閉状態のときに前記球流入口に連通する球供給口を開設し、該球供給口を開閉可能な球止め部材を備え、
前記球止め部材は、
前記上皿ユニットが閉じた状態では、前記球供給口を開いて遊技球を前記球送り装置へ案内可能な第１状態に変換し、前記上皿ユニットが開いた状態では、前記球供給口を閉じて遊技球を前記球送り装置へ案内不可能な第２状態に変換し、
前記球抜き流路は、
上側球抜き流路と下側球抜き流路とに上下分割した状態で形成され、前記上皿ユニットが閉じた状態で上側球抜き流路と下側球抜き流路とを連通し、
前記下側球抜き流路は、
前記球送り装置の球流入口の下方に形成され、前記上皿ユニットが開き始めたときに当該下側球抜き流路の上側開口が球流入口の下方に位置して、且つ上方を向いた状態で出現することを特徴とする遊技機である。
【０００７】
請求項２に記載のものは、遊技盤が交換可能に取り付けられた前面枠と、
前記前面枠に設けられ、遊技盤に形成された遊技領域に遊技球を遊技球発射位置から発射する機能を有する発射ユニットと、
前記前面枠に軸着される開閉部材と、該開閉部材の前面側に位置して遊技球を貯留可能な上皿と、該上皿に貯留された遊技球を前記発射ユニットに案内する球案内流路と、を備えて前記前面枠に対して開閉可能な上皿ユニットと、
前記上皿ユニットの下方に位置し、前記前面枠に取り付けられる取付ベースと、該取付ベースの前面側に位置して遊技球を貯留可能な下皿と、を備えた下皿ユニットと、
を備え、
前記球案内流路の遊技球を前記下皿に案内する球抜き流路を有する遊技機において、
前記発射ユニットは、
前記遊技球発射位置へ遊技球を１個ずつ供給する球送り装置を備え、該球送り装置の前面側に遊技球が流入可能な球流入口を開設し、
前記開閉部材は、
前記球案内流路の出口であって、前記上皿ユニットが閉状態のときに前記球流入口に連通する球供給口を開設し、当該開閉部材の裏面側に前記球供給口を開閉可能な球止め部材を備え、
前記球止め部材は、
前記上皿ユニットが閉じた状態では、前記球供給口を開いて遊技球を前記球送り装置へ案内可能な第１状態に変換し、前記上皿ユニットが開いた状態では、前記球供給口を閉じて遊技球を前記球送り装置へ案内しない第２状態に変換し、
前記球抜き流路は、
上側球抜き流路と下側球抜き流路とに上下分割された状態で形成され、前記上側球抜き流路の下流部を前記開閉部材の裏面側に、前記下側球抜き流路を前記取付ベースの裏面側にそれぞれ設け、
前記上皿ユニットが閉じた状態で上側球抜き流路と下側球抜き流路とを連通し、
前記下側球抜き流路は、
前記球送り装置の球流入口の下方に形成され、前記上皿ユニットが開き始めたときに当該下側球抜き流路の上側開口が球流入口の下方に位置して、且つ上方を向いた状態で出現することを特徴とする遊技機である。
【０００８】
請求項３に記載のものは、前記上皿ユニットの開閉動作に伴って前記球止め部材の状態を変換する球止め部材変換部を、前記前面枠における前記球止め部材に対向する位置に配設し、
前記球止め部材変換部は、
前記球止め部材を第１状態あるいは第２状態へ変換させる変換作用部と、前記球止め部材を係止することで第１状態に維持する第１状態維持部とを備え、
前記上皿ユニットを開き始めることにより、前記球供給口に差し掛かっていた遊技球の落下を許容し、この落下を許容される遊技球の上流側に待機していた次の遊技球を前記球止め部材が制止して、前記次の遊技球の流下を阻止するように前記第１状態維持部を構成したことを特徴とする請求項１または請求項２に記載の遊技機である。
【０００９】
請求項４に記載のものは、前記球流入口と前記下側球抜き流路の上側開口との間に、遊技球を案内するガイドを設けたことを特徴とする請求項１から請求項３のいずれかに記載の遊技機である。
【００１０】
請求項５に記載のものは、前記球止め部材は、
前記球案内流路の球供給口を閉成可能なゲート部と、該ゲート部を前記上皿ユニットに対して回動可能に軸着する回動軸と、前記ゲート部から前記球止め部材変換部に向かって延設されて、前記球止め部材変換部に係合可能な係合部とを備え、
前記回動軸を中心にして所定範囲内を回動することにより第１状態と第２状態とに変換可能であることを特徴とする請求項１から請求項４のいずれかに記載の遊技機である。
【００１１】
請求項６に記載のものは、前記球案内流路は、
前記開閉部材に沿って形成された第１球案内流路と、前記球送り装置に向かって形成された第２球案内流路と、第１球案内流路と第２球案内流路とを屈曲する状態で連通する屈曲部とから構成され、
前記球抜き流路は、
前記上側球抜き流路の上側開口を前記屈曲部に連通可能な状態で開設し、上側球抜き流路を第２球案内流路の下方に位置する状態で後方に屈曲させたことを特徴とする請求項１から請求項５のいずれかに記載の遊技機である。
【００１２】
【発明の実施の形態】
以下、代表的な遊技機であるパチンコ遊技機１を例に挙げて本発明の実施の形態を図面に基づき説明する。図１はパチンコ遊技機１の正面図である。
【００１３】
パチンコ遊技機１は、図１に示すように、機枠（本体枠）２に大きな開口部を有する額縁状の前面枠３の一側（図中左側）を開閉可能に取り付け、この前面枠３のベースとなる前面枠本体４の遊技盤収納フレーム内に遊技盤５を交換可能な状態で取り付け、遊技盤５の表面には、表示装置６、大入賞口７、一般入賞口８、アウト口９…などを配設した遊技領域１０を形成している。また、前面枠３の前面には、一側（図中左側）が軸着された透明部材保持枠（ガラス枠）１１を回動可能に設け、該透明部材保持枠１１に透視可能な透明部材（ガラス板）１２を収納して、遊技領域１０を前方から透視可能な状態で覆い、透明部材保持枠１１の下方に上皿ユニット１３と下皿ユニット１４とを上下に並べて備えている。そして、このパチンコ遊技機１は、上皿ユニット１３および下皿ユニット１４の間に、遊技状態に応じて音を発生するスピーカーユニット１５を収納している。さらに、パチンコ遊技機１は、下皿ユニット１４の後方であって前面枠本体４の下部に、遊技球を遊技領域１０に向かって発射するための発射装置１６（本発明の発射ユニットに相当）を備え、該発射装置１６の左側にファール球（戻り球）を回収するためのファール流下口１７を備えている（図２参照）。なお、上皿ユニット１３および下皿ユニット１４については、後で詳細に説明する。
【００１４】
発射装置１６は、上皿ユニット１３に貯留された遊技球を１個ずつ発射可能な機能を有する装置であり、図３に示すように、前面枠本体４の下部前面に止着されるプレート状の取付基板２１を備え、この取付基板２１に発射杵２２を回動軸２３により軸着し、発射杵２２の下端部分を回動軸２３から下方に延在して遊技球を弾発するための杵先２５を備えている。また、発射装置１６は、杵先２５の回動軸２３周りに前進した位置の先方であって、回動軸２３より下方に発射レール２７の遊技球発射位置２８を設定し、遊技球発射位置２８から遊技盤５上の案内誘導路（図示せず）に向かって上り傾斜する状態で発射レール２７を配設している。
【００１５】
また、発射装置１６は、取付基板２１上の発射杵２２と発射レール２７との間に球送り装置３１を備えている。この球送り装置３１は、発射杵２２の発射動作に連動して上皿ユニット１３から遊技球を１個ずつ発射レール２７上の遊技球発射位置２８へ供給するための装置であり、上皿ユニット１３に対向する前面側に、遊技球が丁度１個ずつ流入（通過）可能な程度の大きさで球流入口３３を開設し、発射レール２７に対向する下側傾斜面には、遊技球を１個ずつ排出可能な球排出口３４を、球流入口３３に連通する状態で開設している。また、この球送り装置３１は、球流入口３３と球排出口３４との間の空間に遊技球を１個ずつ球排出口３４へ送り出す球送り部材３５を備えている。この球送り部材３５は、球送り装置３１の内部であって球流入口３３の後方に、左右方向へ揺動可能な状態で軸着された部材である。そして、この球送り部材３５は、下方に延設された左右の脚部３５ａ間に、前側および下側に開放した状態で遊技球を丁度１個保持可能な空間を有している。このような球送り部材３５を備えた球送り装置３１は、発射杵２２から延設されたアーム（図示せず）に連動して球送り部材３５を揺動させて、発射杵２２が遊技球発射位置２８から後退したタイミングで球流入口３３から受け入れた遊技球を球排出口３４から送り出せるように構成されている。
【００１６】
次に、上皿ユニット１３について説明する。
上皿ユニット１３は、図２および図４に示すように、前面枠３に開閉可能に軸着される開閉パネル３８（本発明の開閉部材に相当）と、該開閉パネル３８の前面側に設けられる上皿３９と、該上皿３９に連通する球案内流路４０と、該上皿３９および球案内流路４０の前方および下方を覆う上皿カバー部材４１と、開閉パネル３８の裏面側に備えられた球止めユニット４２とから概略構成されて、前面枠３に対して開閉可能な状態で備えられている。
【００１７】
開閉パネル３８は、上皿ユニット１３のベースとなる部材であり、フロントパネル３８ａと金属製のリアパネル３８ｂとを重合し、フロントパネル３８ａの一側（図中左側）をヒンジ部４５により前面枠本体４へ軸着している。そして、開閉パネル３８は、フロントパネル３８ａの他側（図中右側）には、上方へ付勢されながら上下にスライド可能な係止爪４６を後方に延設して、前面枠本体４に固定される下皿ユニット１４の係止片４７（図１２参照）にこの係止爪４６を下から係止することで、上皿ユニット１３の閉状態を維持できるように構成されている。また、開閉パネル３８は、係止爪４６を下へ移動させる係止爪操作部４６ａを上部に備えて、係止爪４６の係止状態を解除できるように構成されている。すなわち、開閉パネル３８は、透明部材保持枠１１を開いた状態で上皿ユニット１３の上部に係止爪操作部４６ａを出現させ、この係止爪操作部４６ａを下方に押し込んで、係止爪４６と係止片４７との係止状態を解除することで、上皿ユニット１３を閉状態から開状態への変換を許容することができる。
【００１８】
また、開閉パネル３８は、軸着側寄り（一側寄り、図中左寄り）に球排出装置（図示せず）から排出された遊技球が出てくるための球出口４９を開設し、該球出口４９から後方に前面枠本体４の遊技球通路５０（図２参照）と連通可能な接続樋５１を延設している。さらに、この開閉パネル３８は、上皿ユニット１３の開放側寄り（他側寄り、図中右寄り）に貫通開口５２を形成し、上皿３９に貯留された遊技球を発射装置１６へ供給するための球供給口５３（図９（ｂ）参照）を貫通開口５２に連通する状態で備えている。なお、球供給口５３については、後で詳細に説明する。
【００１９】
そして、開閉パネル３８は、下端中央周辺に下向きコ字状のパネル切欠部５５を開設している。このパネル切欠部５５は、上皿ユニット１３の開閉時にスピーカーユニット１５の上部が接触しない程度の空部を設けて形成されている。
【００２０】
さらに、開閉パネル３８は、透明部材保持枠１１の下縁に合わせた形状となるようにフロントパネル３８ａおよびリアパネル３８ｂの上縁を形成し、リアパネル３８ｂの上縁から不正防止壁５６を透明部材保持枠１１の下縁よりも上方へ延設して、開閉パネル３８と透明部材保持枠１１との間隙から針金等の不正部材が侵入するのを防止している。
【００２１】
上皿３９は、発射装置１６へ供給する遊技球を一時貯留するためのものであり、開閉パネル３８から前方へ延設された上皿部材５８により当該上皿３９の前部、両側部および下部を、開閉パネル３８により当該上皿３９の後部をそれぞれ形成し、上皿部材５８と開閉パネル３８とで区画されて上方に開放した状態で構成されている。そして、この上皿３９は、開閉パネル３８の球出口４９に連通し、球出口４９の下方から貫通開口５２に向かって下り傾斜した底面５９を備えて、貯留された遊技球が開閉パネル３８に沿って横方向へ流下できるように構成されている。
【００２２】
球案内流路４０は、上皿３９に貯留された遊技球を発射装置１６側へ案内するための通路であり、図５に示すように、開閉パネル３８に沿って形成される第１球案内流路６１と、貫通開口５２の後方に発射装置１６の球送り装置３１へ向かって形成される第２球案内流路６２と、第１球案内流路６１と第２球案内流路６２とを屈曲する状態で連通する屈曲部６３とから構成されている。第１球案内流路６１は、上皿３９の一側（図中右側）から徐々に幅を狭めて横長に形成されており、上皿３９に貯留された遊技球が貫通開口５２あるいは第２球案内流路６２に向かうに連れて１列に整列できるように形成されている。なお、第１球案内流路６１は、底部に着脱可能な金属製のレール６５を、上皿３９の底面５９と面一となる状態で設けて、遊技球が大量に転動しても底部が摩耗し難いように、また、摩耗しても底部を容易に交換できるように構成されている。また、第２球案内流路６２については、球止めユニット４２とともに後で詳細に説明する。
【００２３】
上皿カバー部材４１は、上皿３９および球案内流路４０（詳しくは、第１球案内流路６１）の前方を保護および装飾する中空の部材であり、開閉パネル３８の前面から遊技者側へ突出（膨出）した形状で設けられている。この上皿カバー部材４１は、上皿３９の下方に、内部の中空空間であって下側および後側が開口された第１空間６６を当該上皿カバー部材４１の前面裏側から開閉パネル３８のパネル切欠部５５に亘って区画形成し（図６（ａ）参照）、スピーカーユニット１５の上部が十分に収納できるように構成されている。また、上皿カバー部材４１は、第１空間６６の前方に円形状の透音カバー部材６７を、下半部が上皿カバー部材４１の下縁から下皿ユニット１４の前面に向かって延設された状態で備えている。
【００２４】
球止めユニット４２は、上皿３９から開閉パネル３８の後方へ流下する遊技球を止めるためのものである。この球止めユニット４２は、図６および図９（ｂ）に示すように、開閉パネル３８の裏側に取り付けられる球止めベース７０を備え、該球止めベース７０のうち、開閉パネル３８の貫通開口５２と対向する前面部分から前記した第２球案内流路６２を、後方に向かって下り傾斜した状態で開設し、この第２球案内流路６２の下流側開口（出口）を発射装置１６への球供給口５３としている。なお、第２球案内流路６２は、第１球案内流路６１と同様に、遊技球が１列に整列して球送り装置３１へ流下できるように構成されている。また、球供給口５３は、開閉パネル３８、すなわち上皿ユニット１３を前面枠３に対して閉じた状態で、球送り装置３１の球流入口３３に連通し、この球流入口３３との間に僅かな隙間（遊技球が落下したり嵌ったりせずスムーズに流下できる程度の隙間）を形成するように設けられている。
【００２５】
また、球止めユニット４２は、球供給口５３を開閉可能な球止め部材７１を備えている。この球止め部材７１は、略Ｌ字形状を呈する部材であり、具体的に説明すると、球供給口５３を閉成可能で横長なゲート部７３を備え、該ゲート部７３の一端（上皿ユニット１３の開放側端、図中左端）から開閉パネル３８に向かって回動軸７４を前方に突設して、ゲート部７３を上皿ユニット１３（あるいは開閉パネル３８、球止めベース７０）に対して回動可能に軸着している。また、球止め部材７１は、ゲート部７３の軸着端（前記一端）から後述の球止め部材変換部７５に係合可能な係合部７６を、球止め部材変換部７５に向かって上方へ延設している。このような構成の球止め部材７１は、回動軸７４を中心にして（回動軸７４周りに）所定範囲内を回動することにより、球供給口５３を開いて遊技球を球送り装置３１へ案内可能な第１状態（開状態、図６（ａ）参照）と、球供給口５３を閉じて遊技球を球送り装置３１へ案内しない（案内不可能な）第２状態（閉状態、図６（ｂ）参照）とに変換することができる。なお、球止め部材７１の状態変換については、後で詳細に説明する。
【００２６】
また、球止めユニット４２は、ゲート部７３の先端（他端、図中右端）をクランク上に曲折して球止めベース７０に設けられたガイド溝７８に遊嵌し、係合部７６の先端を球止めベース７０から後方へ突設した支持部７９に当接し、これにより球止め部材７１が前後に撓むことなく安定した状態で、第１状態と第２状態とに変換できるように構成されている。また、ゲート部７３は、横方向の中央部分の下端から突起８０を下方に突設して、遊技球の流下を迅速に阻止できるように構成されている。
【００２７】
さらに、球止め部材７１は、係合部７６にコイルばね等の付勢部材８１の一端を係止し、付勢部材８１の他端を球止めベース７０に係止して、第１状態から第２状態へ変換する方向に付勢されるように、すなわち、常態では閉状態となるように構成されている。
【００２８】
そして、球止め部材７１は、前面枠３側に設けられた球止め部材変換部７５と係合することにより、上皿ユニット１３の開閉動作に伴って状態変換することができる。この球止め部材変換部７５は、図７に示すように、球送り装置３１の前面であって、球止め部材７１に対向する位置から突出した板状部材であり、球止め部材７１を第１状態あるいは第２状態へ変換させる変換作用部８３と、球止め部材７１を第１状態に維持する第１状態維持部８４とを備えている。変換作用部８３は、球止め部材変換部７５の前端面を第１状態維持部８４側（上皿ユニット１３の開放側、図中右側）から左側（上皿ユニット１３の軸着側）へ向かって前方傾斜させて、係合部７６が摺動可能なカム面を形成している。したがって、球止め部材７１を球送り装置３１に近づけると、すなわち、上皿ユニット１３を閉方向に移動すると、この変換作用部８３は、係合部７６を摺接しながら付勢部材８１の付勢力に抗して右側に移動させて、球止め部材７１をパチンコ遊技機１の正面から見て時計回りに回動させて第１状態に変換させることができる。また、変換作用部８３は、係合部７６が当接した状態で球止め部材７１を球送り装置３１から遠ざけると、すなわち、上皿ユニット１３を開方向に移動すると、係合部７６が付勢部材８１の付勢力により左側に移動するのを許容して、球止め部材７１をパチンコ遊技機１の正面から見て反時計回りに回動させて第２状態に変換させることができる（図３（ｂ）参照）。
【００２９】
また、第１状態維持部８４は、球止め部材変換部７５の右側（上皿ユニット１３の開放側）端部に形成されている。そして、第１状態維持部８４は、ゲート部７３が球供給口５３を十分に開く程度に位置した状態、すなわち第１状態で、球止め部材７１の係合部７６を係止できるように配置されている。したがって、この第１状態維持部８４は、上皿ユニット１３を前面枠３に対して十分に閉じると、変換作用部８３により第１状態に変換した球止め部材７１を、第２状態に戻らないように回動を規制して、球止め部材７１の第１状態を維持することができる（図３（ａ）参照）。なお、第１状態維持部８４は、前後方向に遊技球直径の約１／４に相当する幅を有しており、上皿ユニット１３を閉状態から開け始めても、球止め部材７１が直ちに第２状態へ変換せずに第１状態を維持されるように構成されている。
【００３０】
次に、下皿ユニット１４について説明する。
下皿ユニット１４は、図１、図２および図８に示すように、前面枠本体４の下部に取り付けられる取付ベース８６と、該取付ベース８６の前面に設けられる下皿８７と、該下皿８７の前面、側面および下面を覆う下皿カバー部材８８とから概略構成されている。そして、この下皿ユニット１４は、下皿８７の左側（上皿ユニット１３の軸着側）に灰皿８９を、右側（上皿ユニット１３の開放側）に発射装置１６の発射勢を調整するために遊技者が操作する発射操作ユニット（発射操作ハンドル）９０をそれぞれ備えている。
【００３１】
取付ベース８６は、下皿ユニット１４のベースとなる部材であり、上皿３９の下方であって発射操作ユニット９０寄り（図中右寄り）の位置に、遊技球が下皿８７に流入するための下皿球出口９２を開設し、該下皿球出口９２に上皿ユニット１３の球出口４９よりも上流側の遊技球流路（図示せず）を連通させている。
【００３２】
また、この取付ベース８６は、上縁を開閉パネル３８の下縁やパネル切欠部５５に合わせた形状に形成し、上皿ユニット１３の開放端（図中右端）よりも外側には、透明部材保持枠１１の開放側（図中右側）の下端まで延出された延出部９３を備えている。そして、この取付ベース８６は、上縁および延出部９３の裏側から不正防止壁９４を開閉パネル３８の下縁あるいは透明部材保持枠１１の開放端側（図中右側）の下縁よりも上方に達する状態で延設して、下皿ユニット１４と上皿ユニット１３との間、および下皿ユニット１４と透明部材保持枠１１との間から針金等の不正部材が侵入するのを防止している。
【００３３】
下皿８７は、上皿３９が満杯になってオーバーフローした遊技球や、後述する球抜き流路９６を通って上皿３９から流下してきた遊技球を貯留可能な部材であり、取付ベース８６から前方へ延設された下皿部材９７により当該下皿８７の前部、両側部および下部を、取付ベース８６により当該下皿８７の後部をそれぞれ形成し、下皿部材９７と取付ベース８６とで区画されて上方に開放した状態で構成されている。そして、下皿８７は、上皿３９の右斜め下方（発射操作ユニット９０寄りの下方）の位置に、下皿球出口９２を臨ませた状態で設けられている。なお、この下皿８７は、底部に開閉可能な取出口９８を備えており、取出しレバー９８ａを操作することによって開閉プレート１００の貫通孔と取出口９８とを連通させて、下皿８７から遊技球を下方に落下できるように構成されている。
【００３４】
下皿カバー部材８８は、取付ベース８６の前面から遊技者側へ突出（膨出）した形状を備えており、前面突出部を上皿カバー部材４１の前面突出部と略同じ位置まで突出させ、さらに、取付ベース８６の延出部９３と重なる箇所の前面を上皿カバー部材４１の開放端（図中右端）と連続するような曲面により形成して、上皿ユニット１３と下皿ユニット１４とが一体化しているかのようなデザインを有している。また、この下皿カバー部材８８は、下皿８７と灰皿８９との間に第２空間１０２を区画形成している。この第２空間１０２は、上皿ユニット１３の閉成状態で上皿３９の下方に形成され、第１空間６６と上下に連通することができる空間である。このようにして、下皿ユニット１４は、スピーカーユニット１５の下部を収納可能な広さの第２空間１０２を下皿８７の側方であり、灰皿８９との間に形成している。
【００３５】
なお、スピーカーユニット１５は、遊技中の効果音を出力するスピーカー１０４と、内部にスピーカー１０４を収納するスピーカー収納ボックス１０５と、該スピーカー収納ボックス１０５を閉成する蓋部材１０６とから構成されている。このスピーカーユニット１５は、下皿ユニット１４の第２空間１０２に下部を収納し、この状態で上皿ユニット１３を閉じて上部を第１空間６６に収納して取り付けることができる。
【００３６】
そして、パチンコ遊技機１は、上皿ユニット１３に貯留された遊技球を下皿ユニット１４へ案内する球抜き流路９６を備えている。この球抜き流路９６は、図９から図１１に示すように、上側球抜き流路１０８と下側球抜き流路１０９とに上下分割された状態で形成され、上側球抜き流路１０８を上皿ユニット１３に、下側球抜き流路１０９を下皿ユニット１４に備えている。また、球抜き流路９６は、上皿ユニット１３を閉じた状態で上側球抜き流路１０８と下側球抜き流路１０９とが連通できるように構成されている。
【００３７】
上側球抜き流路１０８は、上皿部材５８の区画壁１１０と球止めユニット４２とにより遊技球が１個ずつ流下可能な広さに区画形成されている。具体的には、上側球抜き流路１０８は、球案内流路４０の屈曲部６３の下方に上側開口１０８ａを開設して屈曲部６３に連通可能とし、該上側開口１０８ａから後下方に向かって略クランク形状に屈曲して、第２球案内流路６２の下方に位置する状態で形成されている。そして、上側球抜き流路１０８は、下側開口１０８ｂを含む下流部を開閉パネル３８の裏面側に位置する状態で形成されている。このように上側球抜き流路１０８を形成することで、上皿ユニット１３内に球抜き流路９６の一部および球案内流路４０の一部をコンパクトに配置することができ、パチンコ遊技機１内の限られた空間を効率よく利用することができる。また、球抜き流路９６の途中で遊技球の流れを減速させることができ、球詰まりが生じることなくスムーズに遊技球を流下させることができる。しかも、上側球抜き流路１０８は、上皿部材５８と球止めユニット４２との２つの部材を前後に組み合わせるだけで簡単に形成することができる。
【００３８】
なお、上皿ユニット１３は、下側開口１０８ｂを球止めユニット４２の下部に、上皿ユニット１３の下端と略同じ上下位置に配置される状態で開設している。また、上皿ユニット１３は、上側開口１０８ａを開閉可能な舌片状の球抜きスライド部材１１２を備えている。この球抜きスライド部材１１２は、コイルばね等の付勢部材（図示せず）により付勢されて上側開口１０８ａを常時閉状態とし、球抜きレバー１１２ａを操作することで上側開口１０８ａと球案内流路４０とを連通して、遊技球を上皿３９から下皿８７へ流下できるように構成されている（図９および図１０参照）。
【００３９】
一方、下側球抜き流路１０９は、図１２に示すように、取付ベース８６の裏面側に設けられている。具体的には、この下側球抜き流路１０９は、後方に開放した略Ｌ字状の屈曲溝を下側球抜き流路区画部材１１４に形成し、この屈曲溝の開放側を蓋部１１５により閉塞することで形成されている。また、下側球抜き流路１０９は、図７に示すように、上側開口１０９ａを取付ベース８６の上縁と同じ上下位置（高さ）で上方に向けて開設し、且つ球送り装置３１の球流入口３３の下方、詳しくは真下に位置する状態で配置している。さらに、下側球抜き流路１０９は、下側開口１０９ｂ、すなわち球抜き流路９６の出口を下皿球出口９２に連通させている。このように構成された下側球抜き流路１０９は、上皿ユニット１３が開き始めた位置で、遊技球が球送り装置３１の球供給口５３から落下した場合には、この遊技球を受け入れ易く、下皿８７へ流下させることができる。なお、下皿ユニット１４は、下側球抜き流路１０９の上側開口１０９ａの横に遊技球案内部１１６を、前方の下皿８７向かって下り傾斜した状態で備えるとともに、上側開口１０９ａの前方に位置する取付ベース８６の上縁を前方に下り傾斜させている。したがって、下皿ユニット１４は、仮に球供給口５３から落下した遊技球が下側球抜き流路１０９の上側開口１０９ａに入らずにその横や前に落下しても、遊技球案内部１１６等により前方に転動させて下皿８７に回収することができる。また、下側球抜き流路１０９の上側開口１０９ａは、球供給口５３から落下した遊技球が受け入れ可能であれば、球流入口３３の真下に位置することに限定されない。
【００４０】
上記のような構成を備えたパチンコ遊技機１は、閉じた状態の上皿ユニット１３に遊技球を貯留すると、この遊技球を球案内流路４０に流下させて球送り装置３１に流入させる。このように遊技球が球送り装置３１および球案内流路４０に充填された状態で、発射装置１６の発射杵２２が遊技球発射位置２８から後退すると、球送り装置３１は、球送り部材３５が球送り動作して、１個の遊技球を発射レール２７上に排出する。そして、発射杵２２により発射レール２７上の遊技球が打ち出されると、球送り部材３５は、球流入口３３から遊技球を１個受け入れる。さらに、再び発射杵２２が遊技球発射位置２８から後退すると、次の遊技球が球送り装置３１から排出されて遊技球の発射準備が再び整う。この繰り返しにより、発射装置１６は、連続して遊技球を１個ずつ発射することができる。
【００４１】
また、上皿３９から球送り装置３１まで遊技球が１列に整列した状態で上皿ユニット１３を開き始めると、球止め部材７１は、第１状態維持部８４と係合部７６との係止状態が解除されるまで、球供給口５３を開状態に維持する。そして、第２球案内流路６２を前方へ僅かに移動し、球供給口５３に差し掛かっていた遊技球、すなわち、球供給口５３と球流入口３３とを通過し掛かっていた遊技球が下方に落下するのを許容する（図１１参照）。したがって、球供給口５３に差し掛かっていた遊技球が第２状態へ変換しようとする球止め部材７１に挟まれるのを防ぐことができる。このことから、不安定な状態の遊技球が後ろ側から突出した状態で上皿ユニット１３が開かれる事態を防止することができ、遊技球が思わぬタイミングで球供給口５３から落下してしまったり、また、遊技球が突出した状態で上皿ユニット１３を再び閉じて球送り装置３１を損傷してしまったりする虞を軽減させることができる。
【００４２】
さらに、上皿ユニット１３を開き続けると、球止め部材７１の係合部７６が第１状態維持部８４から外れて、球止め部材７１は、第２状態に変換する。すると、この球止め部材７１は、落下を許容した遊技球の上流側に待機していた次の遊技球を球供給口５３よりも上流側で制止（係止）して、それ以降の遊技球が球供給口５３から落下（流下）するのを阻止することができる。
【００４３】
なお、開き始めた状態の上皿ユニット１３と前面枠本体４との間の下方には、下側球抜き流路１０９の上側開口１０９ａが、丁度球流入口３３および球供給口５３の下方、詳しくは真下に、上方を向いた状態で出現するので、落下する遊技球は、下側球抜き流路１０９内に落下して、下皿球出口９２へ案内されて下皿８７に回収される。したがって、遊技球が床等に落下する虞がなく、遊技球の片付け作業を行う必要がない。
【００４４】
そして、再び上皿ユニット１３を閉じると、球止め部材７１が球止め部材変換部７５の変換作用部８３により第２状態から第１状態に変換する。さらに、上皿ユニット１３を十分に閉じると、係合部７６が第１状態維持部８４に係止されて、球案内流路４０の球供給口５３と球送り装置３１の球流入口３３とが近接した状態で連通し、遊技球を上皿ユニット１３から発射装置１６へ円滑に供給することができる。
【００４５】
なお、球送り装置３１は、図１３に示すように、球流入口３３と下側球抜き流路１０９の上側開口１０９ａとの間に、遊技球を案内するガイド１１８を設けてもよい。このガイド１１８は、具体的には、球流入口３３の左右各側下方から下側球抜き流路１０９の上側開口１０９ａの左右各側方に亘って、球送り装置３１の前面から前方に突設されている。そして、左右両側のガイド１１８は、球止めユニット４２のうち上側球抜き流路１０８を区画する部分が十分に収納できる程度の間隔を空けて互いに離間した状態で設けられている。このようなガイド１１８を設けると、球案内流路４０の球供給口５３から落下した遊技球を下側球抜き流路１０９の上側開口１０９ａへ容易に導いて、一層回収し易くなるので好適である。なお、図中左側のガイド１１８に形成されたスリット１１９は、上皿ユニット１３を閉じた状態で球止めユニット４２のリブ１２０（図６参照）を避けるための逃げ空間である。
【００４６】
また、上記実施形態では、球止め部材７１の状態変換を平板状の球止め部材変換部７５によって行っていたが、これに限らない。例えば、係合部７６の上端にピンを後方に突設し、球送り装置の前面には、ピンを遊嵌した状態で摺動させるカム溝を形成して、上皿ユニット１３の開閉に伴ってピンがカム溝内にガイドされて、球止め部材が状態変換を行えるようにしてもよい。
【００４７】
さらに、上記実施形態では、透明部材保持枠１１と上皿ユニット１３（すなわち開閉パネル３８）とを別体にし、双方を前面枠３の一側（図２中左側）にそれぞれ回動可能に軸着したが、本発明はこれに限らない。例えば、透明部材保持枠と上皿ユニットとを上下に配した状態で一体に構成し、この一体化した透明部材保持枠および上皿ユニットを前面枠に回動可能に軸着して、透明部材保持枠と上皿ユニットとが常に一緒に開閉できるようにしてもよい。
【００４８】
そして、上記実施形態の球送り装置３１は、発射装置１６の前面に取り付けられていたが、本発明はこれに限らない。すなわち、上皿ユニット１３を閉じた状態で、上皿ユニット１３の球供給口５３と球送り装置３１の球流入口３３とが遊技球を１個ずつ流下可能な状態で連通することができれば、球送り装置３１は、例えば前面枠本体４上に直接取り付けて、発射装置１６とは別に設けるようにしてもよい。
【００４９】
上記した実施形態は、代表的な遊技機であるパチンコ遊技機を例にして説明したが、本発明はこれに限らず、貯留された遊技球を１個ずつ発射装置から遊技領域に打込んで遊技を行う遊技機であればどのような遊技機でもよい。例えば、内部に封入した遊技球を循環させる封入球式パチンコ機、アレンジボール式遊技機、雀球式遊技機等の遊技機であってもよい。
【００５０】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【００５１】
【発明の効果】
以上説明したように、本発明によれば、次の効果を奏する。
すなわち、請求項１の発明によれば、前面枠側に、遊技球を前記遊技球発射位置へ１個ずつ供給する球送り装置を備え、該球送り装置の前面側に遊技球が流入可能な球流入口を開設し、前記上皿ユニットは、遊技球を前記発射ユニット側に案内する球案内流路を設け、該球案内流路の出口であって、前記上皿ユニットが閉状態のときに前記球流入口に連通する球供給口を開設し、該球供給口を開閉可能な球止め部材を備え、前記球止め部材は、前記上皿ユニットが閉じた状態では、前記球供給口を開いて遊技球を前記球送り装置へ案内可能な第１状態に変換し、前記上皿ユニットが開いた状態では、前記球供給口を閉じて遊技球を前記球送り装置へ案内不可能な第２状態に変換し、前記球抜き流路は、上側球抜き流路と下側球抜き流路とに上下分割した状態で形成され、前記上皿ユニットが閉じた状態で上側球抜き流路と下側球抜き流路とを連通し、前記下側球抜き流路は、前記球送り装置の球流入口の下方に位置して、且つ前記上皿ユニットが開き始めたときに当該下側球抜き流路の入口が上を向いて出現する状態で配設されたので、上皿ユニットを開いて遊技球が球送り装置から落下しても下側球抜き流路を通して下皿ユニットに回収することができ、遊技機の周辺（床や遊技機設置島など）に遊技球を落とし難い。したがって、メンテナンス作業時などに遊技球が散乱しないようにして、作業効率の向上を図ることができる。
【００５２】
請求項２に記載の発明によれば、前記発射ユニットは、前記遊技球発射位置へ遊技球を１個ずつ供給する球送り装置を備え、該球送り装置の前面側に遊技球が流入可能な球流入口を開設し、前記開閉部材は、前記球案内流路の出口であって、前記上皿ユニットが閉状態のときに前記球流入口に連通する球供給口を開設し、当該開閉部材の裏面側に前記球供給口を開閉可能な球止め部材を備え、前記球止め部材は、前記上皿ユニットが閉じた状態では、前記球供給口を開いて遊技球を前記球送り装置へ案内可能な第１状態に変換し、前記上皿ユニットが開いた状態では、前記球供給口を閉じて遊技球を前記球送り装置へ案内しない第２状態に変換し、前記球抜き流路は、上側球抜き流路と下側球抜き流路とに上下分割された状態で形成され、前記上側球抜き流路の下流部を前記開閉部材の裏面側に、前記下側球抜き流路を前記取付ベースの裏面側にそれぞれ設け、前記上皿ユニットが閉じた状態で上側球抜き流路と下側球抜き流路とを連通し、前記下側球抜き流路は、前記球送り装置の球流入口の下方に形成され、前記上皿ユニットが開き始めたときに当該下側球抜き流路の上側開口が球流入口の下方に位置して、且つ上方を向いた状態で出現するので、上皿ユニットの開閉部材の周辺に各流路を設けて、コンパクトな流路構成を実現しながら、球送り装置から落下する遊技球を下側球抜き流路に回収できるような遊技機を提供することができる。
【００５３】
請求項３に記載の発明によれば、前記上皿ユニットの開閉動作に伴って前記球止め部材の状態を操作する球止め部材変換部を、前記前面枠における前記球止め部材に対向する位置に配設し、前記球止め部材変換部は、前記球止め部材を第１状態あるいは第２状態へ変換させる変換作用部と、前記球止め部材を係止することで第１状態に維持する第１状態維持部とを備え、前記上皿ユニットを開き始めることにより、前記球供給口に差し掛かっていた遊技球の落下を許容し、この落下を許容される遊技球の上流側に待機していた次の遊技球を前記球止め部材が制止して、前記次の遊技球の流下を阻止するように前記第１状態維持部を構成したので、上皿ユニットを開き始めて球止め部材が第１状態から第２状態へ変換するときに、球止め部材が遊技球を挟み込んでしまうのを防ぐことができる。したがって、裏側から遊技球を出っ張らせずに上皿ユニットを再び閉じることができる。このことから、上皿ユニットや球送り装置が損傷する虞を軽減することができる。
【００５４】
請求項４に記載の発明によれば、前記球流入口と前記下側球抜き流路の上側開口との間に、遊技球を案内するガイドを設けたので、球案内流路から落下した遊技球を下側球抜き流路に確実に回収することができる。
【００５５】
請求項５に記載の発明によれば、前記球止め部材は、前記球案内流路の球供給口を閉成可能なゲート部と、該ゲート部を前記上皿ユニットに対して回動可能に軸着する回動軸と、前記ゲート部から前記球止め部材変換部に向かって延設されて、前記球止め部材変換部に係合可能な係合部とを備え、前記回動軸を中心にして所定範囲内を回動することにより第１状態と第２状態とに変換可能であるので、簡単な構成で球止め部材を実現することができる。
【００５６】
請求項６に記載の発明によれば、前記球案内流路は、前記開閉部材に沿って形成された第１球案内流路と、前記球送り装置に向かって形成された第２球案内流路と、第１球案内流路と第２球案内流路とを屈曲する状態で連通する屈曲部とから構成され、前記球抜き流路は、前記上側球抜き流路の上側開口を前記屈曲部に連通可能な状態で開設し、上側球抜き流路を第２球案内流路の下方に位置する状態で後方に屈曲させたので、遊技機内の限られた空間に効率よく球案内流路および球抜き流路を配置することができる。また、各流路の途中で遊技球の流れが速くなり過ぎるのを抑制して、球詰まりが生じることなくスムーズに遊技球を流下させることができる。
【図面の簡単な説明】
【図１】パチンコ遊技機の正面図である。
【図２】前面枠の分解斜視図である。
【図３】発射装置と球止め部材とを示した正面図であり、（ａ）は球止め部材が第１状態の場合の説明図、（ｂ）は球止め部材が第１状態あるいは第２状態への変換途中の説明図である。
【図４】上皿ユニットの分解斜視図である。
【図５】（ａ）は上皿ユニットの球案内流路周辺の断面図、（ｂ）は上皿部材の背面斜視図である。
【図６】（ａ）は球止め部材が第１状態に変換したときの上皿ユニットの背面斜視図、（ｂ）は球止め部材が第２状態に変換したときの上皿ユニットの背面斜視拡大図である。
【図７】球流入口と下側球抜き流路の上側開口との位置関係の説明図である。
【図８】下皿ユニットの分解斜視図である。
【図９】（ａ）は球案内流路と球抜き流路との断面図、（ｂ）は（ａ）の部分拡大図である。
【図１０】遊技球を球案内流路から球抜き流路に流下させた状態の断面図である。
【図１１】上皿ユニットを開き始めた状態における球案内流路と球抜き流路との断面図である。
【図１２】下皿ユニットの背面斜視図である。
【図１３】（ａ）は、ガイドを設けた球送り装置と下側球抜き流路の上側開口との位置関係を示した概略図、（ｂ）は球止めユニットを球送り装置から離した状態の概略断面図、（ｃ）は球止めユニットを球送り装置に近づけた状態の概略断面図である。
【符号の説明】
１  パチンコ遊技機
２  機枠
３  前面枠
４  前面枠本体
５  遊技盤
６  表示装置
７  大入賞口
８  一般入賞口
９  アウト口
１０  遊技領域
１１  透明部材保持枠
１２  透明部材
１３  上皿ユニット
１４  下皿ユニット
１５  スピーカーユニット
１６  発射装置
１７  ファール流下口
２１  取付基板
２２  発射杵
２３  回動軸
２５  杵先
２７  発射レール
２８  遊技球発射位置
３１  球送り装置
３３  球流入口
３４  球排出口
３５  球送り部材
３５ａ  脚部
３８  開閉パネル
３８ａ  フロントパネル
３８ｂ  リアパネル
３９  上皿
４０  球案内流路
４１  上皿カバー部材
４２  球止めユニット
４５  ヒンジ部
４６  係止爪
４６ａ  係止爪操作部
４７  係止片
４９  球出口
５０  遊技球通路
５１  接続樋
５２  貫通開口
５３  球供給口
５５  パネル切欠部
５６  不正防止壁
５８  上皿部材
５９  底面
６１  第１球案内流路
６２  第２球案内流路
６３  屈曲部
６５  レール
６６  第１空間
６７  透音カバー部材
７０  球止めベース
７１  球止め部材
７３  ゲート部
７４  回動軸
７５  球止め部材変換部
７６  係合部
７８  ガイド溝
７９  支持部
８０  突起
８１  付勢部材
８３  変換作用部
８４  第１状態維持部
８６  取付ベース
８７  下皿
８８  下皿カバー部材
８９  灰皿
９０  発射操作ユニット
９２  下皿球出口
９３  延出部
９４  不正防止壁
９６  球抜き流路
９７  下皿部材
９８  取出口
９８ａ  取出しレバー
１００  開閉プレート
１０２  第２空間
１０４  スピーカー
１０５  スピーカー収納ボックス
１０６  蓋部材
１０８  上側球抜き流路
１０８ａ  上側開口
１０８ｂ  下側開口
１０９  下側球抜き流路
１０９ａ  上側開口
１０９ｂ  下側開口
１１０  区画壁
１１２  球抜きスライド部材
１１２ａ  球抜きレバー
１１４  下側球抜き流路区画部材
１１５  蓋部
１１６  遊技球案内部
１１８  ガイド
１１９  スリット
１２０  リブ
【図１】
2004313364.tif 000003
【図２】
2004313364.tif 000004
【図３】
2004313364.tif 000005
【図４】
2004313364.tif 000006
【図５】
2004313364.tif 000007
【図６】
2004313364.tif 000008
【図７】
2004313364.tif 000009
【図８】
2004313364.tif 000010
【図９】
2004313364.tif 000011
【図１０】
2004313364.tif 000012
【図１１】
2004313364.tif 000013
【図１２】
2004313364.tif 000014
【図１３】
2004313364.tif 000015